(57)【要約】【課題】多数の音楽ソースが記録されたメディアの中から好みの曲を簡単に探し出すことができ、しかも、選曲した音楽をスムーズに再生できるようにする。【解決手段】ＣＤチェンジャー２０内のＣＤの中から好みの曲を選択してプリセットできるようにするとともに、プリセットされた曲を特定するための識別情報とその曲の冒頭部分のデータとをプリセットメモリ１２に記録し、プリセットされた曲をユーザが選曲した場合には、まずプリセットメモリ１２に保存してある冒頭部分を再生し、その再生が終わるまでの間にＣＤドライブ２３からオリジナルの音楽データを識別情報に基づき検索して、検索された音楽データに切り替えて再生するようにすることにより、好みの曲をワンタッチで再生できるようにするとともに、ディスクを跨いだ選曲時にも、比較的長くかかるディスクチェンジ時間に関係なくスムーズに再生することができるようにする。【選択図】　　　　図１
2004095015.tif 000002
【特許請求の範囲】
【請求項１】
第１の記録媒体に記録された複数のソースデータの中から一以上のソースデータを選択して登録するための登録手段と、
上記登録手段により登録されたソースデータを特定するために必要な識別情報および上記登録されたソースデータの冒頭の一部分を、上記第１の記録媒体に比べて高速再生が可能な第２の記録媒体に記録する記録手段と、
上記登録手段により登録されたソースデータの再生を指示するための再生指示手段と、
上記再生指示手段により指示されたソースデータに関して上記第２の記録媒体に記録されている冒頭の一部分を再生するとともに、その再生をしている間に、上記第２の記録媒体に記憶されている識別情報に基づいて、上記第１の記録媒体から上記指示されたソースデータを検索し、検索されたソースデータに切り替えて再生する再生手段とを備えたことを特徴とするオーディオ装置。
【請求項２】
上記第１の記録媒体は、ディスク交換機能を有する装置に装填された複数のディスクであることを特徴とする請求項１に記載のオーディオ装置。
【請求項３】
上記第２の記録媒体は、装置本体に着脱可能に成された半導体メモリであることを特徴とする請求項１に記載のオーディオ装置。
【請求項４】
上記第１の記録媒体および上記第２の記録媒体に記録されるソースデータは、所定の圧縮形式で圧縮された音楽データであり、
上記記録手段は、上記ソースデータの冒頭の一部分として、上記圧縮形式で規定される記録単位を数単位分だけ上記第２の記録媒体に記録するようにし、
上記再生手段は、上記第２の記録媒体から上記数単位分のソースデータを再生した後、その次の記録単位から上記第１の記録媒体に切り替えてソースデータを再生するようにしたことを特徴とする請求項１に記載のオーディオ装置。
【発明の詳細な説明】
【０００１】
【発明の属する技術分野】
本発明はオーディオ装置に関し、特に、多数のソースデータの中から好みのソースを探し出して再生する機能を有するオーディオ装置に用いて好適なものである。
【０００２】
【従来の技術】
従来、データを記録するための記録媒体として、多種多様なメディアが提供されている。近年では、比較的大容量のデータを読み書きすることができる便利さが受けて、書込可能型コンパクトディスクあるいは追記型コンパクトディスク（以下、ＣＤ−Ｒ／ＲＷと記す）が普及している。
【０００３】
このＣＤ−Ｒ／ＲＷの普及に伴い、車載用のオーディオ装置においても、従来のカセットテープやＭＤ（ミニディスク）等に代わってＣＤ−Ｒ／ＲＷが用いられるようになることが予想される。つまりユーザは、各自好みの音楽ソースをＣＤ−Ｒ／ＲＷに多数書き込み、車内オーディオとして楽しむようになる。
【０００４】
ところで、最近では、デジタルの音楽ソースをＭＰ３（ＭＰＥＧオーディオ−レイヤ３）、ＡＴＲＡＣ３（Ａｄａｐｔｉｖｅ　Ｔｒａｎｓｆｏｒｍ　Ａｃｏｕｓｔｉｃ　Ｃｏｄｉｎｇ）などの形式に従って圧縮し、圧縮されたデータを記録媒体に記録することがよく行われる。例えば、音楽ソースをＭＰ３形式にてＣＤ−Ｒ／ＲＷに書き込んだ場合、１枚のＣＤ−Ｒ／ＲＷに１００曲以上の音楽を書き込むことが可能である。
【０００５】
【発明が解決しようとする課題】
上述のような実情から、今後は、ＣＤ−Ｒ／ＲＷの記録再生が可能で、かつ、ＭＰ３やＡＴＲＡＣ３等の様々な圧縮形式に対応したＣＤチェンジャーの開発が予想される。例えば、ＭＰ３対応の６枚ＣＤチェンジャーが開発された場合、ユーザは１枚に１００曲以上を書き込んだＣＤ−Ｒ／ＲＷを６枚、合計で６００曲以上に及ぶ多数の音楽ソースを１つのマガジンに収めることが可能となる。
【０００６】
しかしながら、このように多数の音楽ソースを記録した場合、その中から特にお気に入りの曲を探し出すことは、非常に面倒になる。すなわち、所望の曲を探し出すためには、リモコンのスキップボタン等を順次操作して、画面上に表示される曲名を見たり曲の出だしを聴いたりして１つ１つ確認する必要がある。あるいは、ＣＤ−Ｒ／ＲＷに記録した音楽の曲名を列挙したレーベル等をユーザが事前に作成している場合は、そのレーベルを見て所望の曲を探し出し、その後でリモコンを操作して該当する位置までスキップさせる必要がある。
【０００７】
本発明は、このような問題を解決するために成されたものであり、多数のソースデータが記録されたメディアの中から好みのソースをワンタッチで簡単に探し出すことができ、しかも、選択したソースをスムーズに再生できるようにすることを目的とする。
【０００８】
【課題を解決するための手段】
上記した課題を解決するために、本発明のオーディオ装置では、第１の記録媒体に記録された複数のソースデータの中から好みのソースデータを選択してプリセットできるようにするとともに、プリセットされたソースデータを特定するための識別情報とそのソースデータの冒頭部分のデータとを、第１の記録媒体に比べて高速再生が可能な第２の記録媒体に記録する。そして、プリセットされた好みのソースデータをユーザが選択した場合には、まず第２の記録媒体に保存してある冒頭部分を再生し、その再生をしている間に第１の記録媒体からオリジナルのソースデータを検索して、検索されたソースデータに切り替えて再生する。
【０００９】
上記のように構成した本発明によれば、好みのソースデータをプリセットしておくことで、多数のソースデータの中から好みのソースがワンタッチで再生される。しかも、第１の記録媒体上でオリジナルのソースデータを検索している間も、高速再生可能な第２の記録媒体から該当するソースデータの再生が直ちに行われる。
【００１０】
【発明の実施の形態】
以下、本発明の一実施形態を図面に基づいて説明する。
図１は、本実施形態による車載オーディオ装置の要部構成を示す図である。図１に示すように、本実施形態の車載オーディオ装置は、装置全体を制御するヘッドユニット１０と、装填された複数枚のＣＤ−Ｒ／ＲＷ、ＣＤ−ＲＯＭを交換して再生可能なＣＤチェンジャー２０と、ユーザが各種の操作を行うためのリモコン等の操作部３０と、スピーカ４０とを備えて構成されている。
【００１１】
ヘッドユニット１０は、装置全体を制御するシステムコントローラ１１、プリセットメモリ１２、ＭＰ３デコーダ１３、Ｄ／Ａ変換器１４およびアンプ１５を備えて構成されている。また、ＣＤチェンジャー２０は、当該ＣＤチェンジャー２０の作動を制御する制御部２１、選曲部２２、ＣＤドライブ２３、ＭＰ３デコーダ２４およびＤ／Ａ変換器２５を備えて構成されている。
【００１２】
図１に示すオーディオ装置では、システムコントローラ１１が制御部２１に制御信号を出力することにより、ヘッドユニット１０とＣＤチェンジャー２０とを全体で一つのオーディオプレーヤとして統一的に動作させることができるようにしている。
【００１３】
操作部３０は、ＣＤチェンジャー２０のＣＤドライブ２３に装填された複数枚のＣＤ−Ｒ／ＲＷ、ＣＤ−ＲＯＭに記録されている多数の音楽ソースの中から、ユーザ好みの曲を選択してプリセット登録する操作を行うために使用する。例えば、ＣＤドライブ２３に装填されたＣＤの中で特にお気に入りの曲がある場合、操作部３０を操作することによってその曲をプリセットすることができる。この操作を複数回行うことにより、複数の曲をプリセットすることが可能である。また、操作部３０は、プリセットされた複数の曲の中から何れかを選択して再生を指示するためにも使用する。
【００１４】
ヘッドユニット１０内のプリセットメモリ１２は、操作部３０の操作によってプリセットされた曲を特定するために必要な識別情報と、当該プリセットされた曲の冒頭一部分のデータとを記憶する。そのための記録動作は、システムコントローラ１１によって行われる。このプリセットメモリ１２は、ＣＤチェンジャー２０に比べて音楽データの高速再生が可能なＲＡＭによって構成される。例えば、ヘッドユニット１０に着脱可能なメモリスティックのような半導体メモリによりプリセットメモリ１２を構成することが可能である。
【００１５】
本実施形態のように複数枚のディスクを装填可能なＣＤチェンジャー２０を用いる場合、プリセットされた曲を特定するための識別情報は、例えば、ＣＤドライブ２３内の何番目のトレイに装填されたディスクであるかを表すディスク番号、ディスク内の何番目に記録されたデータであるかを表すトラック番号、および曲名である。
【００１６】
曲名は必ずしも必須ではないが、これも記録するのが好ましい。すなわち、プリセットしたときのディスクがＣＤドライブ２３から抜かれて他のディスクに交換された場合に、そのプリセット番号を指定して曲の再生が指示されたとき、ディスク番号とトラック番号だけではプリセット登録時と異なる曲が再生されてしまう。これに対して、プリセット登録時に曲名も記録しておき、再生指示が行われたときにこれを照合することにより、全く関係のない曲が再生されてしまう不都合を防止できる。
【００１７】
また、プリセットメモリ１２に記録される冒頭部分のデータは、例えば曲の始めから数秒間の音楽データである。ＣＤ−Ｒ／ＲＷ等に音楽データがＭＰ３形式で記録されている場合、当該ＭＰ３の圧縮形式で規定される記録単位であるフレームを数個分、プリセットメモリ１２に記録するようにする。具体的には、曲の検索指示が出されてから、ＣＤチェンジャー２０がディスクをチェンジして該当する曲を取り出すまでにかかる最大の時間よりも長い時間分だけ、ＭＰ３データの冒頭の数フレームをプリセットメモリ１２に記録する。このように、プリセットメモリ１２には曲の冒頭部分のみを記録しているので、ＲＡＭの容量を比較的小さくすることができる。
【００１８】
ＭＰ３デコーダ１３は、プリセットメモリ１２から再生されるＭＰ３形式の圧縮音楽データをデコードする。このＭＰ３デコーダ１３は、システムコントローラ１１により動作が制御される。ここでデコードされた音楽データは、Ｄ／Ａ変換器１４を介してアンプ１５に出力される。アンプ１５は、Ｄ／Ａ変換器１４より供給されたオーディオ信号を増幅し、スピーカ４０から出力する。
【００１９】
また、ＣＤチェンジャー２０内の選曲部２２は、システムコントローラ１１から供給される選曲指示に応じて、ＣＤドライブ２３の動作を制御し、任意の曲を選曲する。ＣＤドライブ２３内では、１枚のディスクをプレーヤにかけて、それをモータにより回転するとともに、ディスクの半径方向にピックアップを移動することによって、所定の位置に記録された曲のデータを読み取っている。あるディスクを再生しているときに、他のディスク内の選曲指示が出された場合には、プレーヤにかけるディスクを交換した後、ピックアップを移動することにより、選曲された音楽データを読み取る。
【００２０】
ＭＰ３デコーダ２４は、ＣＤドライブ２３から再生されるＭＰ３形式の圧縮音楽データを、収録曲の曲名等の情報を記録した情報データと、オーディオ信号を記録した音楽データとに分離してデコードする。このＭＰ３デコーダ２４は、制御部２１により動作が制御される。ここでデコードされた音楽データは、Ｄ／Ａ変換器２５を介してヘッドユニット１０内のアンプ１５に出力される。
【００２１】
上述したシステムコントローラ１１は、操作部３０の操作によって、プリセット番号を指定しての選曲指示が行われた場合、まずプリセットメモリ１２に記録されている冒頭部分の音楽データを検索して再生する。その再生と同時に、プリセットメモリ１２に記憶されている識別情報を選曲部２２に伝えて選曲指示を出し、ＣＤドライブ２３から該当する音楽データを検索する。
【００２２】
そして、システムコントローラ１１は、プリセットメモリ１２に記録された音楽データの再生後に、制御部２１に対して制御信号を出力し、ＣＤドライブ２３から検索された音楽データに切り替えて再生するようにする。プリセットメモリ１２に記憶されている冒頭部分の音楽データがＭＰ３形式の場合、当該プリセットメモリ１２から複数フレーム分の音楽データを再生した後、その次のフレームからＣＤチェンジャー２０に切り替えて音楽データを再生するようにする。
【００２３】
上記の構成において、操作部３０は、本発明の登録手段および再生指示手段に相当する。また、システムコントローラ１１は、本発明の記録手段に相当する。さらに、システムコントローラ１１、ＭＰ３デコーダ１３、Ｄ／Ａ変換器１４、アンプ１５、選曲部２２、制御部２１、ＭＰ３デコーダ２４およびＤ／Ａ変換器２５は、本発明の再生手段に相当する。
【００２４】
次に、上記のように構成した本実施形態によるオーディオ装置の動作を説明する。ユーザは、ＣＤドライブ２３に装填されたＣＤの音楽を聴いているときに、お気に入りの曲があった場合、操作部３０を操作することによってその曲をプリセットする。このとき、システムコントローラ１１が操作部３０からの指示を受けて制御部２１に制御信号を出力することにより、プリセットされる曲の冒頭部分をＣＤドライブ２３から読み出す。
【００２５】
そして、システムコントローラ１１は、ＣＤドライブ２３から読み出された冒頭部分のデータを、制御部２１を介して取得してプリセットメモリ１２に記録する。また、当該取得した曲のディスク番号およびトラック番号も取得し、プリセットメモリ１２に記録する。さらに、プリセットされる曲に関してＭＰ３デコーダ２４によりデコードされた曲名も取得し、これも合わせてプリセットメモリ１２に記録する。
【００２６】
その後、ユーザが操作部３０を操作して、プリセットされたお気に入りの曲を選曲した場合、システムコントローラ１１は、まずプリセットメモリ１２に記録されている冒頭部分の音楽データを検索して再生する。プリセットメモリ１２より再生された冒頭部分の音楽データは、ＭＰ３デコーダ１３、Ｄ／Ａ変換器１４およびアンプ１５を介してアナログのオーディオ信号となり、スピーカ４０から出力される。
【００２７】
また、システムコントローラ１１は、このプリセットメモリ１２からの再生が行われている間に、プリセットメモリ１２に記憶されている識別情報（ディスク番号、トラック番号、曲名）を選曲部２２に伝えて選曲指示を出し、ＣＤドライブ２３から該当する音楽データを検索する。その後、システムコントローラ１１は、制御部２１に制御信号を出力することにより、プリセットメモリ１２からＣＤドライブ２３に切り替えて音楽データを再生するようにする。このときＣＤドライブ２３より再生された音楽データは、ＭＰ３デコーダ２４、Ｄ／Ａ変換器２５およびアンプ１５を介してアナログのオーディオ信号となり、スピーカ４０から出力される。
【００２８】
図２は、プリセットデータの再生時における動作フローを示す図である。図２に示すように、プリセットされた曲を選択した場合、まずはプリセットメモリ１２に保存してある曲始めの音楽データを再生し、その再生が終わるまでの間に、ＣＤドライブ２３において指定された曲が入っているディスクにチェンジする。そして、プリセットメモリ１２の再生が終わった段階で、ＣＤドライブ２３に切り替えて音楽データを再生する。
【００２９】
以上詳しく説明したように、本実施形態によれば、好みの曲をプリセットしておくことで、複数枚のＣＤに記録された多数の曲の中から好みの曲をワンタッチで再生することができる。しかも、再生中のディスクと異なるディスク内に記録された曲を選曲した場合でも、その曲が再生されるまでにかかる時間は、プリセットメモリ１２の音楽データを再生するのに必要な短い時間で済む。すなわち、ディスクを跨いだ選曲時にも、選曲された曲の再生を、比較的長くかかるディスクチェンジ時間に関係なくスムーズに行うことができる。
【００３０】
なお、上記実施形態では、多数の音楽データを記録する記録媒体として、複数枚のＣＤ−Ｒ／ＲＷやＣＤ−ＲＯＭを装填可能なＣＤチェンジャー２０を用いる例について説明したが、本発明はこれに限定されない。例えば、ハードディスクを用いても良い。近年の車載オーディオ装置は、車両の振動にも十分耐え得るハードディスクの開発を背景に、ハードディスクを搭載したものも提供されている。この種の車載オーディオ装置においても、多数の音楽ソースをハードディスクに書き込み、車内オーディオとして楽しむことが可能である。
【００３１】
このようなハードディスク搭載型のオーディオ装置に本発明を適用することにより、好みの曲をワンタッチで再生することができるとともに、ハードディスクの検索にかかる時間よりも短い時間で、選曲された曲をプリセットメモリ１２から再生することができる。すなわち、ハードディスクに比べて半導体メモリの方がアクセス速度は速い。しかも、プリセットされた音楽データだけを半導体メモリに記憶しているので、多量の音楽データが記録されたハードディスクを直に検索する場合に比べて探索空間が小さくなる。これにより、ハードディスク搭載型のオーディオ装置においても本発明を適用することにより、選曲をよりスムーズに行うことが可能となる。
【００３２】
また、上記実施形態では、プリセットメモリ１２をヘッドユニット１０の中に設ける例について説明したが、ＣＤチェンジャー２０の中に設けても良い。ＣＤチェンジャー２０の中に設けた場合、ヘッドユニット１０内のＭＰ３デコーダ１３およびＤ／Ａ変換器は不要とすることができる。
【００３３】
また、上記実施形態では、プリセットメモリ１２を半導体メモリにより構成する例について説明したが、ハードディスクにより構成しても良い。ハードディスクを用いた場合でも、ＣＤチェンジャー２０にてディスクチェンジをしている間に冒頭部分を再生することができる。
【００３４】
また、上記実施形態では、プリセットメモリ１２に記憶する識別情報としてディスク番号、トラック番号、曲名を用いる例について説明したが、これに限定されない。例えば、ディスクの所定部分においてそのディスクに記録している内容等を書き込んであるＴＯＣ（Ｔｉｔｌｅ　ｏｆ　Ｃｏｎｔｅｎｔｓ）情報を用いても良い。また、フォルダやファイルの配置等を表す記録構造（パステーブル）を用いても良い。パステーブルは、曲名と同様にファイルの照合に使用する。
【００３５】
また、上記実施形態では、プリセットメモリ１２に記録する冒頭部分の音楽データを制御部２１がＣＤドライブ２３から読み出して取得する例について説明したが、これに限定されない。例えば、ＭＰ３デコーダ２４がＣＤドライブ２３から取り出した音楽データをメモリに記憶しておき、それを制御部２１が取得するようにしても良い。
【００３６】
また、上記実施形態では、プリセットメモリ１２に記録された冒頭部分の音楽データを再生し終わった後に、ＣＤドライブ２３内のＣＤに記録された音楽データに切り替えて再生する例について説明したが、これに限定されない。例えば、プリセットメモリ１２の再生途中でも、システムコントローラ１１がＣＤチェンジャー２０からディスクチェンジ完了通知を受けることによって、音楽データの再生を切り替えるようにしても良い。
【００３７】
また、上記実施形態では、ＭＰ３形式で圧縮された音楽データを再生する場合を例にとって説明したが、圧縮形式はこれに限定されない。例えば、ＡＴＲＡＣ３、ＡＡＣ（Ａｄｖａｎｃｅｄ　Ａｕｄｉｏ　Ｃｏｄｉｎｇ）、ＡＣ−３（Ｄｏｌｂｙ　Ｄｉｇｉｔａｌ）、ＴｗｉｎＶＱ、ＷＭＡ（Ｗｉｎｄｏｗｓ　Ｍｅｄｉａ　Ａｕｄｉｏ）などの圧縮形式であっても良い。
【００３８】
また、上記実施形態では、音楽データを再生する例について説明したが、映像データを再生する場合にも同様に本発明を適用することが可能である。
【００３９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００４０】
【発明の効果】
以上説明したように本発明によれば、第１の記録媒体に記録された多数のソースデータの中から好みのソースをワンタッチで簡単に探し出すことができるとともに、第１の記録媒体に関して比較的長くかかるデータ取得時間に関係なく、高速再生が可能な第２の記録媒体を利用して好みのソースデータをスムーズに再生することができる。
【図面の簡単な説明】
【図１】本実施形態による車載オーディオ装置の要部構成を示す図である。
【図２】プリセットデータの再生時における動作フローを示す図である。
【符号の説明】
１０　ヘッドユニット
１１　システムコントローラ
１２　プリセットメモリ（ＲＡＭ）
１３　ＭＰ３デコーダ
１４　Ｄ／Ａ変換器
１５　アンプ
２０　ＣＤチェンジャー
２１　制御部
２２　選曲部
２３　ＣＤドライブ
２４　ＭＰ３デコーダ
２５　Ｄ／Ａ変換器
３０　操作部
４０　スピーカ
【図１】
2004095015.tif 000003
【図２】
2004095015.tif 000004